【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
導管を椎間板内へ配置するための配置器具であって：
チューブ状の鞘；
前記鞘内部に少なくとも一部が納まるような大きさおよび形である導管；および
前記導管を配置するためのプランジャー；を含む配置器具。
【請求項２】
前記鞘が面取りした先端を有することを特徴とする請求項１記載の配置器具。
【請求項３】
前記鞘内部に少なくとも一部が位置する針をさらに含み、前記導管が前記針の内部または周囲に少なくとも一部が位置することを特徴とする請求項１記載の配置器具。
【請求項４】
前記導管が、ポリ乳酸、ポリグリコール酸、ラクチド−グリコリド共重合体、ポリカプロラクトン、トリメチレンカーボネート、絹、腸線、コラーゲン、ポリ−ｐ−ジオキサノン、ポリジオキサノン、ポリ無水物、トリメチレンカーボネート、ポリ−β−ヒドロキシ酪酸、ポリヒドロキシ吉草酸、ポリ−γ−エチル−グルタミン酸、ポリ−ＤＴＨ−イミノカーボネート、ポリ−ビスフェノール−Ａ−イミノカーボネート、ポリオルトエステル、ポリシアノアクリレートおよびポリホスファゼンより成る群から選択される生分解性材料から作製されたものであることを特徴とする請求項１記載の配置器具。
【請求項５】
前記導管が、ポリテトラフルオロエチレン、ポリプロピレン、ポリエチレン、ポリアミド、ポリエステル、ポリウレタン、シリコン、ポリエーテルエーテルケトン、アセタール樹脂、ポリスルホン、ポリカーボネート、絹、木綿、麻、繊維ガラス、ニッケル−チタン合金およびステンレス鋼より成る群から選択される非分解性材料から作製されたものであることを特徴とする請求項１記載の配置器具。
【請求項６】
前記導管の少なくとも一部が線維組織阻害因子で被覆されていることを特徴とする請求項１記載の配置器具。
【請求項７】
導管を椎間板内へ配置するための配置器具であって：
チューブ状の鞘；
真直ぐな状態および湾曲した状態を有し、前記真直ぐな状態は前記チューブ状鞘の内部で弾性によって真直ぐになり、および前記湾曲した状態は弾性によって湾曲しさらに少なくとも一部が前記チューブ状鞘の外に位置する、第１の弾性針；
前記真直ぐな状態と前記湾曲した状態の間で前記第１の弾性針を動かす作動部；および
前記チューブ状鞘内部に少なくとも一部が納まるような大きさおよび形である導管；を含む配置器具。
【請求項８】
前記第１の弾性針が面取りした先端を有し、前記第１の弾性針が前記湾曲した状態にある際に前記面取りした先端が前記第１の弾性針の凹側に位置することを特徴とする請求項７記載の配置器具。
【請求項９】
前記チューブ状の鞘が尖った先端を有し、前記第１の弾性針が前記湾曲した状態にある際に前記尖った先端が前記第１の弾性針の凸側を向くことを特徴とする請求項７記載の配置器具。
【請求項１０】
前記チューブ状の鞘および前記第１の弾性針が非円形の断面を有し、同様の断面形を有することを特徴とする請求項７記載の配置器具。
【請求項１１】
前記チューブ状の鞘および前記第１の弾性針が楕円形の断面を有することを特徴とする請求項７記載の配置器具。
【請求項１２】
さらに第２の弾性針を含み、該第２の弾性針が前記第１の弾性針の近くに少なくとも一部が位置し、前記第１および第２の弾性針が同様の湾曲を有しおよび前記湾曲が同様の方向を向くことを特徴とする請求項７記載の配置器具。
【請求項１３】
前記チューブ状の鞘の先端側の端部の近くの壁を通って伸びる開口部をさらに含むことを特徴とする請求項７記載の配置器具。
【請求項１４】
前記チューブ状の鞘がその中に位置する傾斜台を有し、該傾斜台が前記チューブ状の鞘の先端側の端部に近接して位置しおよび前記第１の弾性針の凸側に近接して位置することを特徴とする請求項７記載の配置器具。
【請求項１５】
前記第１の弾性針がニッケル−チタン合金製であることを特徴とする請求項７記載の配置器具。
【請求項１６】
前記第１の弾性針が不均一な断面を有し、前記第１の弾性針が先端側の端部および基部側の端部を有し、前記先端側の端部が前記基部側の端部よりも小さいことを特徴とする請求項７記載の配置器具。
【請求項１７】
前記導管を配置するためのプランジャーをさらに含むことを特徴とする請求項７記載の配置器具。
【請求項１８】
前記鞘上の被覆をさらに含むことを特徴とする請求項１または請求項７記載の配置器具。
【請求項１９】
前記鞘上の被覆をさらに含む請求項１記載の配置器具、または前記第１の弾性針上の被覆をさらに含む請求項７記載の配置器具。
【請求項２０】
前記被覆が、滑沢剤、組織封止剤、鎮痛剤、抗生物質、放射線不透過性の、磁性のおよび音波発生性の物質から成る被覆より選択されることを特徴とする請求項１９記載の配置器具。
【請求項２１】
前記導管が、生体適合性材料製のチューブ、マルチフィラメントまたはスポンジであることを特徴とする請求項１または請求項７記載の配置器具。
【請求項２２】
前記導管が、それから伸長する複数の突起を有することを特徴とする請求項１または請求項７記載の配置器具。
【請求項２３】
前記導管が、マルチフィラメント部分およびモノフィラメント部分から成ることを特徴とする請求項１または請求項７記載の配置器具。
【請求項２４】
前記導管が、前記第１の弾性針の内部に位置するか、あるいは少なくとも一部がその近くに位置することを特徴とする請求項７記載の配置器具。
【請求項２５】
前記導管が、抗生物質、抗閉塞被覆、滑沢剤、増殖因子、栄養分、硫酸、無機物、緩衝剤、炭酸ナトリウム、重炭酸ナトリウム、アルカリ、コラーゲン、ヒドロキシアパタイト、鎮痛剤、封止剤、湿潤剤、ヒアルロン酸、プロテオグリカン、コンドロイチン硫酸、ケラタン硫酸、グリコサミノグリカン、ヘパリン、デンプン、硬化剤、放射線不透過性の被覆、音波発生性の被覆、遺伝子、細胞および幹細胞から成る群より選択される被覆を有することを特徴とする請求項１または請求項７記載の配置器具。
【請求項２６】
前記導管が、２００ミクロンから１０ナノメートルの孔径を有することを特徴とする請求項１または請求項７記載の配置器具。
【請求項２７】
前記導管がそれを通る通路を有し、該通路は２００ミクロンから１０ナノメートルの直径を有することを特徴とする請求項１または請求項７記載の配置器具。
【請求項２８】
前記導管の中央部分の周囲に位置するチューブをさらに含むことを特徴とする請求項１または請求項７記載の配置器具。
【請求項２９】
前記チューブが、ポリテトラフルオロエチレン、ポリプロピレン、ポリエチレン、ポリアミド、ポリエステル、ポリウレタン、シリコン、ポリエーテルエーテルケトン、アセタール樹脂、ポリスルホン、ポリカーボネートおよびポリエチレングリコールより成る群から選択される材料から作られたものであることを特徴とする請求項２８記載の配置器具。
【請求項３０】
生体適合性材料からなる長い部材であってその第１の部分が椎間板内部の髄核の内部にあるように設置することができる部材を含む、椎間板と体循環との間の栄養分および老廃物の交換を回復するための導管。
【請求項３１】
前記長い部材が第２の部分を有し、該第２の部分が終板を通りさらに椎骨内へ伸びるように前記長い部材を設置することができることを特徴とする請求項３０記載の導管。
【請求項３２】
前記長い部材が第２の部分および中央部分を有し、該中央部分が椎間板の周囲を通って伸びさらに該第２の部分が椎間板の外へ伸びるように前記長い部材を設置することができることを特徴とする請求項３０記載の導管。
【請求項３３】
前記長い部材が第２の部分を有し、該第２の部分が椎間板の外側の輪状層へ伸びるように前記長い部材を設置することができることを特徴とする請求項３０記載の導管。
【請求項３４】
生体適合性材料製のチューブ、マルチフィラメントまたはスポンジであることを特徴とする請求項３０記載の導管。
【請求項３５】
前記導管がそれから伸長する複数の突起を有することを特徴とする請求項３０記載の導管。
【請求項３６】
マルチフィラメント部分およびモノフィラメント部分から成ることを特徴とする請求項３０記載の導管。
【請求項３７】
生分解性材料製であることを特徴とする請求項３０記載の導管。
【請求項３８】
非分解性材料製であることを特徴とする請求項３０記載の導管。
【請求項３９】
多孔質であり、さらに２００ミクロンから１０ナノメートルの孔径を有することを特徴とする請求項３０記載の導管。
【請求項４０】
前記導管がそれを通る通路を有し、該通路はそれぞれ２００ミクロンから１０ナノメートルの直径を有することを特徴とする請求項３０記載の導管。
【請求項４１】
前記導管の中央部分の周囲に位置するチューブをさらに含み、該チューブは、ポリテトラフルオロエチレン、ポリプロピレン、ポリエチレン、ポリアミド、ポリエステル、ポリウレタン、シリコン、ポリエーテルエーテルケトン、アセタール樹脂、ポリスルホン、ポリカーボネートおよびポリエチレングリコールより成る群から選択される材料から成ることを特徴とする請求項３０記載の導管。
【請求項４２】
少なくとも一部分が線維組織阻害因子で被覆されていることを特徴とする請求項３０記載の導管。
【請求項４３】
請求項３０から４２いずれか１項記載の導管；および
椎間板へ注射可能なドナー細胞；を含む、ドナー細胞を患者の椎間板へ注射するためのキット。
【請求項４４】
前記ドナー細胞が、腺に由来するか、組織に由来するかまたは、下垂体、視床下部、副腎、副腎髄質、脂肪細胞、甲状腺、副甲状腺、膵臓、精巣、卵巣、松果体、副腎皮質、肝臓、腎皮質、腎臓、視床、副甲状腺、卵巣、黄体、胎盤、小腸、皮膚細胞、幹細胞、遺伝子治療、組織工学および細胞培養より成る群から選択されるものを起源とするものであることを特徴とする請求項４３記載のキット。
【請求項４５】
椎間板へ注射可能な増殖因子をさらに含むことを特徴とする請求項４３記載のキット。
【請求項４６】
前記ドナー細胞が、アドレナリン、副腎皮質刺激ホルモン、アルドステロン、アンドロゲン、アンジオテンシノーゲン、（アンジオテンシンＩおよびＩＩ）、抗利尿ホルモン、心房性ナトリウム利尿ペプチド、カルシトニン、カルシフェロール、コレカルシフェロール、カルシトリオール、コレシストキニン、副腎皮質刺激ホルモン放出ホルモン、コルチゾール、デヒドロエピアンドロステロン、ドーパミン、エンドルフィン、エンケファリン、エルゴカルシフェロール、エリスロポエチン、卵胞刺激ホルモン、γ−アミノ酪酸、ガストリン、グレリン、グルカゴン、糖質コルチコイド、ゴナドトロピン放出ホルモン、成長ホルモン放出ホルモン、ヒト絨毛性ゴナドトロピン、ヒト成長ホルモン、インシュリン、インシュリン様成長因子、レプチン、リポトロピン、黄体形成ホルモン、メラニン細胞刺激ホルモン、メラトニン、鉱質コルチコイド、ニューロペプチドＹ、神経伝達物質、ノルアドレナリン、エストロゲン、オキシトシン、副甲状腺ホルモン、ペプチド、プレグネノロン、ブロゲステロン、プロラクチン、プロオピオメラノコルチン、ＰＹＹ−３３６、レニン、セクレチン、ソマトスタチン、テストステロン、トロンボポエチン、甲状腺刺激ホルモン、甲状腺刺激ホルモン放出ホルモン、チロキシン、トリヨードチロニン、栄養ホルモン、セロトニン、およびバソプレッシンより成る生合成産物の群から選択される産物または治療用産物を作り出すことができることを特徴とする請求項４３記載のキット。